(57)【要約】【課題】消費電力を抑えつつ、広帯域の伝送信号を増幅する。【解決手段】幹線分岐増幅器２は、方向性フィルタ２００−１によって伝送信号を高域信号と低域信号とに分波する。入力レベル調整部２０２−１は、高域信号のレベルを調整し、入力レベル調整部２０２−２は、低域信号のレベルを調整する。第１の幹線増幅部２２は高域信号を増幅し、第２の幹線増幅部２４は低域信号を増幅する。方向性フィルタ２００−２は、幹線１２によって伝送される高域信号と低域信号とを混合し、幹線分配増幅器１２２−２に対して出力する。第１の分岐増幅部２６は、分配器２０４−１によって分岐された高域信号を増幅し、第２の分岐増幅部２８は、分配器２０４−２によって分岐された低域信号を増幅する。方向性フィルタ２００−３は、分岐線１４−１〜１４−４によって伝送される高域信号と低域信号とを混合し、分配部２０６を介して出力する。【選択図】          図３
2004320416.tif 000002
【特許請求の範囲】
【請求項１】
伝送信号を第１の帯域の信号と第２の帯域の信号とに分離する分離手段と、
前記第１の帯域の信号を増幅する第１の増幅部と、
前記第２の帯域の信号を増幅する第２の増幅部と、
前記第１の増幅部によって増幅された信号と前記第２の増幅部によって増幅された信号とを混合する第１の混合手段とを有し、
前記第１の増幅部および前記第２の増幅部またはこれらのいずれかは、
第１の利得調整手段を
有する増幅装置。
【請求項２】
前記第１の増幅部は、電力を受入れる第１の受電手段をさらに有し、
前記第２の増幅部は、電力を受入れる第２の受電手段をさらに有し、
前記第１の受電手段および前記第２の受電手段またはこれらのいずれかは、
受入れる電力を遮断する電力遮断手段を
有する請求項１に記載の増幅装置。
【請求項３】
前記第１の増幅部によって増幅された信号を分岐させる第１の分岐手段と、
前記第２の増幅部によって増幅された信号を分岐させる第２の分岐手段と、
前記第１の分岐手段によって分岐された信号を増幅する第３の増幅部と、
前記第２の分岐手段によって分岐された信号を増幅する第４の増幅部と、
前記第３の増幅部によって増幅された信号と前記第４の増幅部によって増幅された信号とを混合する第２の混合手段とを有し、
前記第３の増幅部および前記第４の増幅部またはこれらのいずれかは、
第２の利得調整手段を
有する請求項１または２に記載の増幅装置。
【発明の詳細な説明】
【０００１】
【発明の属する技術分野】
本発明は、伝送信号を増幅する増幅装置に関する。
【０００２】
【従来の技術】
例えば、特許文献１は、ＣＡＴＶシステムにおいて、端末側から伝送されてきた上り信号を、高周波数帯の上り信号と低周波数帯の上り信号とに分離して伝送する増幅装置を開示する。
しかしながら、特許文献１に開示された増幅装置は、高周波数帯および低周波数帯それぞれの帯域で伝送される信号を、共通の増幅回路によって増幅するので、いずれかの帯域の信号のみに対し、利得を調整することができないという問題があった。
【０００３】
また、特許文献２は、入力された信号を複数の帯域の信号に分割し、それぞれの帯域の信号ごとに増幅する増幅装置を開示する。
しかしながら、特許文献２には、分割された帯域ごとに信号を増幅する増幅回路の利得を調整することは何ら開示されていない。よって、広帯域の信号を一様に増幅させると、消費電力が大きくなることがある。
【０００４】
【特許文献１】特開２０００−１５１４７７号公報
【特許文献２】特開２０００−２５２７７３号公報
【０００５】
【発明が解決しようとする課題】
本発明は、上述した従来技術の問題点に鑑みてなされたものであり、消費電力を抑えつつ、広帯域の伝送信号を増幅することができる増幅装置を提供することを目的とする。
【０００６】
【課題を解決するための手段】
上記目的を達成するために、本発明にかかる増幅装置は、伝送信号を第１の帯域の信号と第２の帯域の信号とに分離する分離手段と、前記第１の帯域の信号を増幅する第１の増幅部と、前記第２の帯域の信号を増幅する第２の増幅部と、前記第１の増幅部によって増幅された信号と前記第２の増幅部によって増幅された信号とを混合する第１の混合手段とを有し、前記第１の増幅部および前記第２の増幅部またはこれらのいずれかは、第１の利得調整手段を有する。
【０００７】
好適には、前記第１の増幅部は、電力を受入れる第１の受電手段をさらに有し、前記第２の増幅部は、電力を受入れる第２の受電手段をさらに有し、前記第１の受電手段および前記第２の受電手段またはこれらのいずれかは、受入れる電力を遮断する電力遮断手段を有する。
【０００８】
好適には、前記第１の増幅部によって増幅された信号を分岐させる第１の分岐手段と、前記第２の増幅部によって増幅された信号を分岐させる第２の分岐手段と、前記第１の分岐手段によって分岐された信号を増幅する第３の増幅部と、前記第２の分岐手段によって分岐された信号を増幅する第４の増幅部と、前記第３の増幅部によって増幅された信号と前記第４の増幅部によって増幅された信号とを混合する第２の混合手段とを有し、前記第３の増幅部および前記第４の増幅部またはこれらのいずれかは、第２の利得調整手段を有する。
【０００９】
【発明の実施の形態】
以下、本発明の実施形態を説明する。
【００１０】
［ＣＡＴＶシステム１］
図１は、本発明が適用されるＣＡＴＶシステム１の構成を例示する図である。
図１に示すように、ＣＡＴＶ（Ｃｏｍｍｕｎｉｔｙ  Ａｎｔｅｎａ  Ｔｅｌｅｖｉｓｉｏｎ）システム１は、例えば、ＣＡＴＶ局１０、幹線（幹線伝送路）１２、および幹線分岐増幅器２によって分岐された分岐線（分岐伝送路）１４−１〜１４−４などから構成され、住宅（加入者）１００および集合住宅１０２などに、ケーブル網によるテレビ放送サービスを行う。
【００１１】
ＣＡＴＶ局１０は、高感度アンテナを有し、例えば山間辺地およびビル陰地域の難視聴を解消するためにテレビ放送を受信し、幹線１２に対して出力する。
幹線１２は、幹線ケーブル１２０が幹線分配増幅器１２２−１〜１２２−３および幹線分岐増幅器２などを介して接続されて構成される。
分岐線１４−１〜１４−４それぞれは、同軸ケーブル１４０−１〜１４０−４および分配器１４２−１〜１４２−４などを含み、住宅１００などに接続される。
さらに、分岐線１４−２は、例えば延長増幅器１４４、分配器１４２−５および棟内ブースタ１４６などを含み、例えば集合住宅１０２などに接続される。
このように、ＣＡＴＶシステム１は、ＣＡＴＶ局１０が受信したテレビ放送をケーブル網を介して再配信して、テレビ放送の難視聴地域にも、テレビ放送サービスを行う。
【００１２】
［放送波帯域］
図２は、テレビ放送の放送波伝送帯域を示す図である。
以下、説明を具体化し発明の理解を容易にするため、図２に示す放送波伝送帯域の信号を伝送するＣＡＴＶシステム１を具体例として説明する。
図２に示すように、アナログ放送（ＮＴＳＣ方式）は、９０ＭＨｚから２２２ＭＨｚの帯域を伝送帯域としている。
デジタル放送は、アナログ放送よりも高い周波数帯域を伝送帯域としている。
テレビ放送サービスは、アナログ放送のみのサービスからデジタル放送のみのサービスに移行する際に、移行期間を設けている。
この移行期間には、アナログ放送とデジタル放送とで同一の内容を放送するサイマル放送などが行われ、テレビ放送の放送波伝送帯域は、９０ＭＨｚから７７０ＭＨｚの帯域になる。
そして、アナログ放送が終了すると、ＣＡＴＶシステム１は、デジタル放送の放送波伝送帯域の信号のみを伝送する。
【００１３】
［幹線分岐増幅器２］
図３は、幹線分岐増幅器２（図１）の構成を示す図である。
図３に示すように、幹線分岐増幅器２は、幹線部２０ａ、分岐部２０ｂおよび電源部３などから構成される。
【００１４】
［幹線部２０ａ］
幹線部２０ａは、方向性フィルタ２００−１，２００−２、入力レベル調整部２０２−１，２０２−２、第１の幹線増幅部２２、第２の幹線増幅部２４、分波器２０４−１〜２０４−３および可変利得調整部２１０などから構成される。
以下、方向性フィルタ２００−１，２００−２など複数ある構成部分のいずれかを特定せずに示す場合には、単に「方向性フィルタ２００」などと略記することがある。
【００１５】
［方向性フィルタ２００］
方向性フィルタ２００は、高域通過端子、低域通過端子および共通端子を有し、共通端子と高域通過端子との間で、後述するデジタル放送用帯域の信号（高域信号）を通過させ、共通端子と低域通過端子との間で、後述するアナログ放送用帯域の信号（低域信号）を通過させる。
つまり、方向性フィルタ２００は、高域通過端子と共通端子との間で、高域信号を双方向に通過させるハイパスフィルタ（ＨＰＦ）と、低域通過端子と共通端子との間で、低域信号を双方向に通過させるローパスフィルタ（ＬＰＦ）とを有している。
【００１６】
図４は、方向性フィルタ２００が伝送信号を分波する帯域を示す図である。
図４に示すように、方向性フィルタ２００のＬＰＦは、カットオフ周波数が２２２ＭＨｚであり、２２２ＭＨｚ以下の伝送信号をアナログ放送用帯域の信号（低域信号）として通過させる。
方向性フィルタ２００のＨＰＦは、カットオフ周波数が２６０ＭＨｚであり、２６０ＭＨｚ以上の伝送信号をデジタル放送用帯域の信号（高域信号）として通過させる。
また、方向性フィルタ２００のＨＰＦのカットオフ周波数は、パススルー方式で伝送される地上波デジタル放送帯域との間に、帯域の余裕をもってＢＳ（衛星放送）テレビジョンチャンネルの半数（４チャンネル分）を配置することができるように、実験などによって定められる。
なお、図４に示した例においては、方向性フィルタ２００において、高域信号と低域信号との間のガードバンドは、２２２〜２６０ＭＨｚまでの３８ＭＨｚ幅とされている。
【００１７】
つまり、方向性フィルタ２００−１（図３）は、幹線分配増幅器１２２−１から入力された伝送信号を高域信号と低域信号とに分波し、高域信号を高域通過端子から入力レベル調整部２０２−１に対して出力すると共に、低域信号を低域通過端子から入力レベル調整部２０２−２に対して出力する。
【００１８】
入力レベル調整部２０２（図３）は、例えば複数のスイッチによる加算式のＢＯＮ（疑似線路回路網）であり、方向性フィルタ２００−１から入力された信号の減衰量を周波数の平方根に比例して減衰させ、第１の幹線増幅部２２（第２の幹線増幅部２４）に対して出力する。
そして、入力レベル調整部２０２は、例えば幹線分配増幅器１２２−１から幹線分岐増幅器２までの幹線伝送路の長さなどに応じて減衰量を設定されることにより、方向性フィルタ２００−１から入力された信号のレベルを、第１の幹線増幅部２２（第２の幹線増幅部２４）への入力として適正なレベルに減衰させる。また、入力レベル調整部２０２は、第１の幹線増幅部２２（第２の幹線増幅部２４）に入力される伝送信号の全帯域を一定の減衰量にするように、例えば特性を設定されたカード（標準調整素子）の挿入によって特性の調整をするカード式のアッテネータおよびイコライザ（ケーブル等価器）などから構成されてもよい。
【００１９】
例えば、アナログ放送用帯域のみを増幅し、加算式のＢＯＮを入力レベル調整部に採用している既存の増幅装置を、幹線分岐増幅器２によって置換し、放送波伝送帯域を拡張する場合には、アナログ放送用帯域は、既存の増幅装置と共通の操作で調整できるようにし、デジタル放送用帯域は、特性を設定されたカードを挿入することにより容易に調整できるようにすることが好ましい。
つまり、入力レベル調整部２０２−１は、カード式のアッテネータおよびイコライザなどから構成され、入力レベル調整部２０２−２は、加算式のＢＯＮであることが好ましい。
【００２０】
［第１の幹線増幅部２２］
図５は、第１の幹線増幅部２２（図３）の構成を示す図である。
図５に示すように、第１の幹線増幅部２２は、増幅器２２０−１，２２０−２および利得調整部２２２から構成される。
増幅器２２０−１は、例えば２６０ＭＨｚ以上の高域信号を線形性よく増幅する特性を有し、入力レベル調整部２０２−１から入力された信号を増幅し、利得調整部２２２に対して出力する。
利得調整部２２２は、後述する可変利得調整部２１０から入力された信号により、増幅器２２０−１から入力された信号の利得を調整し、増幅器２２０−２に対して出力する。
増幅器２２０−２は、例えば増幅器２２０−１と同様の特性を有し、利得調整部２２２から入力された信号を増幅し、分配器２０４−３に対して出力する。
【００２１】
分配器２０４−３（図３）は、第１の幹線増幅部２２から入力された信号を分配し、分配器２０４−１および可変利得調整部２１０に対して出力する。
【００２２】
図６は、可変利得調整部２１０の構成を示す図である。
図６に示すように、可変利得調整部２１０は、自動利得調整部（ＡＧＣ）２１２、手動利得調整部（ＭＧＣ）２１４および切り替えスイッチ２１６から構成される。
ＡＧＣ２１２は、分配器２０４−３から入力される信号に基づいて、第１の幹線増幅部２２および第２の幹線増幅部２４の利得を調整する利得調整信号を、切り替えスイッチ２１６を介し第１の幹線増幅部２２および第２の幹線増幅部２４に対して出力する。
作業者は、第１の幹線増幅部２２および第２の幹線増幅部２４の利得を調整する利得調整信号をＭＧＣ２１４によって生成し、切り替えスイッチ２１６を介して第１の幹線増幅部２２および第２の幹線増幅部２４に対して出力することもできる。
切り替えスイッチ２１６は、ＡＧＣ２１２またはＭＧＣ２１４のいずれかから利得調整信号を受け入れ、第１の幹線増幅部２２および第２の幹線増幅部２４に対して出力する。
【００２３】
分配器２０４−１（図３）は、分配器２０４−３から入力された信号を分配し、方向性フィルタ２００−２（高域通過端子）および後述する第１の分岐増幅部２６に対して出力する。
【００２４】
［第２の幹線増幅部２４］
図７は、第２の幹線増幅部２４（図３）の構成を示す図である。
図７に示すように、第２の幹線増幅部２４は、増幅器２４０−１，２４０−２および利得調整部２２２から構成される。
なお、図７においては、図５に示した第１の幹線増幅部２２の構成部分と実質的に同じ第２の幹線増幅部２４の構成部分には、同様な符号が付してある。
増幅器２４０−１は、例えば２２２ＭＨｚ以下の低域信号を線形性よく増幅し、増幅器２２０とは異なる特性を有し、入力レベル調整部２０２−２から入力された信号を増幅し、利得調整部２２２に対して出力する。
利得調整部２２２は、上述した可変利得調整部２１０から入力された信号により、増幅器２４０−１から入力された信号の利得を調整し、増幅器２４０−２に対して出力する。
増幅器２４０−２は、例えば増幅器２４０−１と同様の特性を有し、利得調整部２２２から入力された信号を増幅し、分配器２０４−２に対して出力する。
【００２５】
分配器２０４−２（図３）は、第２の幹線増幅部２４から入力された信号を分配し、方向性フィルタ２００−２（低域通過端子）および後述する第２の分岐増幅部２８に対して出力する。
【００２６】
［方向性フィルタ２００−２］
方向性フィルタ２００−２は、高域通過端子において分配器２０４−１から出力された高域信号を受け入れ、さらに、低域通過端子において分配器２０４−２から出力された低域信号を受入れて、高域信号と低域信号とを混合し、幹線分配増幅器１２２−２に対して出力する。
【００２７】
［分岐部２０ｂ］
分岐部２０ｂは、第１の分岐増幅部２６、第２の分岐増幅部２８、方向性フィルタ２００−３および分配部２０６などから構成される。
【００２８】
［第１の分岐増幅部２６］
図８は、第１の分岐増幅部２６（図３）の構成を示す図である。
図８に示すように、第１の分岐増幅部２６は、利得調整部２６０および増幅器２２０から構成される。
なお、図８においては、図５に示した第１の幹線増幅部２２の構成部分と実質的に同じ第１の分岐増幅部２６の構成部分には、同様な符号が付してある。
利得調整部２６０は、分配器２０４−１から入力された信号の利得を調整し、増幅器２２０に対して出力する。
増幅器２２０は、利得調整部２６０から入力された信号を増幅し、方向性フィルタ２００−３（高域通過端子）に対して出力する。
【００２９】
［第２の分岐増幅部２８］
図９は、第２の分岐増幅部２８（図３）の構成を示す図である。
図９に示すように、第２の分岐増幅部２８は、利得調整部２６０および増幅器２４０から構成される。
なお、図９においては、図７に示した第２の幹線増幅部２４、および図８に示した第１の分岐増幅部２６の構成部分と実質的に同じ第２の分岐増幅部２８の構成部分には、同様な符号が付してある。
利得調整部２６０は、分配器２０４−２から入力された信号の利得を調整し、増幅器２４０に対して出力する。
増幅器２４０は、利得調整部２６０から入力された信号を増幅し、方向性フィルタ２００−３（低域通過端子）に対して出力する。
【００３０】
［方向性フィルタ２００−３］
方向性フィルタ２００−３（図３）は、高域通過端子において第１の分岐増幅部２６から出力された高域信号を受け入れ、さらに、低域通過端子において第２の分岐増幅部２８から出力された低域信号を受入れて、高域信号と低域信号とを混合し、分配部（４分配）２０６に対して出力する。
【００３１】
分配部２０６は、方向性フィルタ２００−３から入力された信号を４分配し、分岐線１４−１〜１４−４（図１）に対して出力する。
【００３２】
電源部３（図３）は、電源ユニット３０および遮断スイッチ３２などから構成される。
電源ユニット３０は、幹線分岐増幅器２の各部にそれぞれ必要な電力を供給する。
そして、電源ユニット３０から第２の幹線増幅部２４および第２の分岐増幅部２８に電力を供給する電源ラインには、遮断スイッチ３２が設けられている。
遮断スイッチ３２がオフになると、第２の幹線増幅部２４および第２の分岐増幅部２８に供給される電力のみが遮断される。
なお、遮断スイッチ３２は、幹線分岐増幅器２内に配置され、作業者が手動で遮断スイッチ３２をオフにすることができるように設けられているが、これに限られるものでなく、幹線１２などを介し電気信号によってオフにされるようにしてもよい。
【００３３】
なお、幹線分岐増幅器２は、第１の幹線増幅部２２、第２の幹線増幅部２４、第１の分岐増幅部２６および第２の分岐増幅部２８の内部などに、スロープ特性を調整する回路をそれぞれ挿入されてもよい。
【００３４】
［全体動作］
以下、ＣＡＴＶシステム１（図１）の全体動作を説明する。
ＣＡＴＶ局１０は、テレビ放送局などが発信する放送波伝送帯域（図２）の信号を受信し、幹線１２に対して再送信する。
幹線１２において、幹線分配増幅器１２２−１〜１２２−３および幹線分岐増幅器２は、ＣＡＴＶ局１０によって再送信された信号を中継する。
【００３５】
さらに、幹線分岐増幅器２は、幹線分配増幅器１２２−１から入力された伝送信号を、方向性フィルタ２００−１によって高域信号と低域信号（図４）とに分波する。
【００３６】
図１０は、伝送される信号に対し、帯域ごとに必要となる利得を例示する図である。
図１０に示すように、２２２ＭＨｚの信号を伝送するために必要な利得は、例えば３３ｄＢである。
一方、７７０ＭＨｚの信号を伝送するために必要な利得は、例えば４８ｄＢであり、デジタル放送用帯域の信号伝送には、アナログ放送用帯域の信号伝送よりも大きくな利得が必要になっている。
【００３７】
幹線分岐増幅器２（図１、図２）は、第１の幹線増幅部２２においてデジタル放送用帯域の信号を増幅し、第２の幹線増幅部２４においてアナログ放送用帯域の信号を増幅する。
【００３８】
第１の幹線増幅部２２によって増幅された信号、および第２の幹線増幅部２４によって増幅された信号は、それぞれ分配器２０４−１および分配器２０４−２によって分配され、幹線１２によって伝送される信号と、分岐線１４によって伝送される信号とに分けられる。
【００３９】
方向性フィルタ２００−２は、幹線１２によって伝送される高域信号と低域信号とを混合し、幹線分配増幅器１２２−２に対して出力する。
【００４０】
分岐線１４によって伝送される信号は、デジタル放送用帯域の信号が第１の分岐増幅部２６によって増幅され、アナログ放送用帯域の信号が第２の分岐増幅部２８によって増幅される。
【００４１】
第１の分岐増幅部２６によって増幅された信号、および第２の分岐増幅部２８によって増幅された信号は、方向性フィルタ２００−３によって混合される。
分配部２０６は、方向性フィルタ２００−３によって混合された信号を受け入れて４分配し、それぞれ分岐線１４−１〜１４−４に対して出力する。
【００４２】
分岐線１４（図１）によって伝送される信号は、分配器１４２−１〜１４２−５などを介し、住宅１００および集合住宅１０２などに伝送される。
【００４３】
さらに、アナログ放送サービスが終了すると、遮断スイッチ３２（図３）をオフにすることにより、幹線分岐増幅器２は、デジタル放送の放送波伝送帯域の信号のみを増幅する。
【００４４】
以上のように、幹線分岐増幅器２は、伝送される信号を高域信号と低域信号とに分波し、それぞれの帯域ごとに増幅するので、ぞれぞれの帯域ごとに適正な増幅をするように調整することができる。
よって、１つの増幅器が広帯域（放送波伝送帯域の全て）で線形性を維持するために必要とする電力に対し、幹線分岐増幅器２は、より低消費電力で高域信号および低域信号を線形性よく増幅することができ、小型化されることも可能である。
また、高域信号を増幅する増幅器と、低域信号を増幅する増幅器とが分離されているので、それぞれの増幅器で発生した歪成分が互いに干渉することを防止することができる。
また、幹線分岐増幅器２は、アナログ放送サービスが終了すると、遮断スイッチ３２をオフにすることにより、第２の幹線増幅部２４および第２の分岐増幅部２８による消費電力を削減することができ、信頼性を向上させることができる。
【００４５】
本発明は、幹線増幅器、幹線分配増幅器、分岐増幅器および延長増幅器などにも適用されることができ、ＣＴＴＳ（Ｃａｂｌｅ  ａｎｄ  Ｔｅｌｅ−ｃｏｍｍｕｎｉｃａｔｉｏｎ  Ｔｅｌｅｖｉｓｉｏｎ  Ｓｙｓｔｅｍ）における双方向伝送、データ伝送などに適用されてもよい。
また、幹線分岐増幅器２は、放送波伝送帯域を２つの帯域に分離するが、３つ以上の帯域に分離してもよい。
【００４６】
【発明の効果】
以上説明したように、本発明にかかる増幅装置によれば、消費電力を抑えつつ、広帯域の伝送信号を増幅することができる。
【図面の簡単な説明】
【図１】本発明が適用されるＣＡＴＶシステムの構成を例示する図である。
【図２】テレビ放送の放送波伝送帯域を示す図である。
【図３】幹線分岐増幅器の構成を示す図である。
【図４】方向性フィルタが伝送信号を分波する帯域を示す図である。
【図５】第１の幹線増幅部の構成を示す図である。
【図６】可変利得調整部の構成を示す図である。
【図７】第２の幹線増幅部の構成を示す図である。
【図８】第１の分岐増幅部の構成を示す図である。
【図９】第２の分岐増幅部の構成を示す図である。
【図１０】伝送される信号に対し、帯域ごとに必要となる利得を例示する図である。
【符号の説明】
１・・・ＣＡＴＶシステム
１０・・・ＣＡＴＶ局
１２・・・幹線
１４・・・分岐線
１００・・・住宅（加入者）
１０２・・・集合住宅
２・・・幹線分岐増幅器
２０ａ・・・幹線部
２０ｂ・・・分岐部
２００−１〜２００−３・・・方向性フィルタ
２０２−１，２０２−２・・・入力レベル調整部
２０４−１〜２０４−３・・・分配器
２０６・・・分配器（４分配）
２１０・・・可変利得調整部
２２・・・第１の幹線増幅部
２２０−１，２２０−２・・・増幅器
２４・・・第２の幹線増幅部
２４０−１，２４０−２・・・増幅器
２６・・・第１の分岐増幅部
２８・・・第２の分岐増幅部
３・・・電源部
３２・・・遮断スイッチ
【図１】
2004320416.tif 000003
【図２】
2004320416.tif 000004
【図３】
2004320416.tif 000005
【図４】
2004320416.tif 000006
【図５】
2004320416.tif 000007
【図６】
2004320416.tif 000008
【図７】
2004320416.tif 000009
【図８】
2004320416.tif 000010
【図９】
2004320416.tif 000011
【図１０】
2004320416.tif 000012